(57)【要約】【課題】機能が追加されたような場合でも、機能追加前の電子機器に適した操作パネルから機能追加後の電子機器に適した操作パネルに容易に変更することができる構造を有する操作パネルを提供する【解決手段】ベース部材１１には、追加機能を操作するための操作ボタン３０の外形形状にあわせて、この外形形状よりも大きな開口部を有する取付穴１４が設けられている。従って、操作ボタン３０は、この取付穴１４によって操作側から操作ボタンを変形させることなく容易にベース部材１１に挿入することができる。この結果、操作パネルが電子機器に取り付けられた状態で、機能追加後の電子機器に適した操作パネルに容易に変更することができる。【選択図】図３
2007221302.tif 000002
【特許請求の範囲】
【請求項１】
押圧することによって電子機器の機能操作を行う操作ボタンを、複数組み込んだ操作パネルであって、
前記複数の操作ボタンのうち所定の機能操作を行う操作ボタンは、前記押圧する方向と同じ方向から前記操作パネルに組み込み可能な操作ボタンであることを特徴とする操作パネル。
【請求項２】
請求項１に記載の操作パネルであって、
前記複数の操作ボタンを組み込むための取付穴を有するベース部材を備え、
前記所定の機能操作を行う操作ボタンに対応する取付穴は、当該所定の機能操作を行う操作ボタンを変形させることなく、前記押圧する方向と同じ方向から挿入できる開口形状を有する取付穴であることを特徴とする操作パネル。
【請求項３】
請求項１または２に記載の操作パネルであって、
前記所定の機能操作を行う操作ボタンに対応する取付穴の大きさよりも大きな形状を有するカバー部材を備え、
前記カバー部材は、前記ベース部材に対して前記押圧する方向と同じ方向から着脱可能に取り付けられるカバー部材であることを特徴とする操作パネル。
【請求項４】
請求項３に記載の操作パネルであって、
前記カバー部材は、前記所定の機能操作を行う操作ボタンが前記ベース部材に組み込まれたときは、前記所定の機能操作を行う操作ボタンについて押圧する押圧部分を露出する露出穴を備えたカバー部材であり、前記所定の機能操作を行う操作ボタンが前記ベース部材に組み込まれていないときは、前記露出穴を備えないカバー部材であることを特徴とする操作パネル。
【請求項５】
請求項３または４に記載の操作パネルであって、
前記ベース部材もしくは前記カバー部材の少なくとも一方には、前記所定の機能操作を行う操作ボタンを前記ベース部材に組み込んだ後、前記所定の機能操作を行う操作ボタンの回転を防止する回転止め部が形成されていることを特徴とする操作パネル。
【請求項６】
請求項１ないし５のいずれか一項に記載の操作パネルであって、
前記複数の操作ボタンのうち所定の機能操作を行う操作ボタン以外の操作ボタンは、前記押圧する方向と同じ方向から前記操作パネルに組み込みが不可能な操作ボタンであることを特徴とする操作パネル。
【請求項７】
請求項１ないし６のいずれか一項に記載の操作パネルを備えた電子機器。
【発明の詳細な説明】
【技術分野】
【０００１】
本発明は、押圧することによって電子機器の機能操作を行う操作ボタンを、複数組み込んだ操作パネル、およびこの操作パネルを備えた電子機器に関する。
【背景技術】
【０００２】
従来、プリンタやファクシミリなどの電子機器には、その電子機器が有する種々の機能を操作するため、通常複数の操作ボタンが組み込まれた操作パネルが取り付けられている。そして、電子機器の利用者は、所望する機能に対応したボタンを押すことによって、所望する機能を電子機器に実行させる。このようなことが一般的に行われている。
【０００３】
ところで、電子機器では、最初に利用できる機能に対して途中から機能追加が行われることがある。例えば、プリンタにスキャナユニットを付け加えることでスキャナ機能が追加されたりすることがある。このようなとき、操作パネルが電子機器に取り付けられている場合、機能追加された電子機器に対応する操作ボタンが組み込まれた操作パネルに変更するためには電子機器から操作パネルを取り外す必要があり、変更作業は容易ではない。また、操作パネルが電子機器に取り付けられていない場合でも、操作ボタンを押圧方向と反対側つまり操作パネルの内側から組み込む構造では、操作パネルを分解し、操作パネルの内側から操作ボタンを組み込んだ後に再び組み立てる必要があり、操作パネルを変更することは容易でない。
【０００４】
そこで、操作パネルに予め追加機能用の操作ボタンを備えておけば、利用者は操作パネルを交換することなく、例えばスキャナユニットのみ付け加えることで利用者はスキャナ機能を追加することができることになる。しかし、利用者はスキャナユニットを取り付けるまで、利用しない操作ボタンが組み込まれた操作パネルを操作することになり、このような機能しない操作ボタンの存在によってボタン操作を混乱させてしまうことが起こり得る。
【０００５】
そのため、特許文献１には、各操作キーボタンに対応する位置に切り外し用加工部を設けておき、利用者が操作するキーボタンに対応する位置だけ切り外し用加工部を切り外してそのキーボタンを露出させるマスクカバーが提案されている。
【０００６】
【特許文献１】特開２００３−２９８７９１号公報
【発明の開示】
【発明が解決しようとする課題】
【０００７】
しかしながら、特許文献１の技術では、利用者が操作しないキーボタンを取り除くことは行わず、マスクカバーがキーボタン部を覆うようにしているため、露出されないボタン部分の高さは、操作するボタンの高さよりも高くなっている。このため、利用者が所望するキーボタンを操作する際に、このような高くなった部分によって、ボタン操作が妨げられてしまうことが起こり得る。また、利用しないキーボタンの部分に、キーボタンに近い形状の飛び出し部分ができ、あたかもキーボタンが存在するかのごとき外観になることから、デザイン的にも利用者に違和感を与えるものであった。
【０００８】
本発明は、このような課題に鑑みてなされたもので、機能が追加されたような場合でも、機能追加前の電子機器に適した操作パネルから機能追加後の電子機器に適した操作パネルに容易に変更することができる構造を有する操作パネルを提供することを目的とする。
【課題を解決するための手段】
【０００９】
上記課題を解決するために本発明は、押圧することによって電子機器の機能操作を行う操作ボタンを、複数組み込んだ操作パネルであって、前記複数の操作ボタンのうち所定の機能操作を行う操作ボタンは、前記押圧する方向と同じ方向から前記操作パネルに組み込み可能な操作ボタンであることを特徴とする。
【００１０】
この構成によれば、操作ボタンの押圧方向すなわち利用者の操作側から、追加された機能に対応する操作ボタンを操作パネルに組み込むことができる。従って、操作パネルが電子機器に取り付けられた状態で、機能追加後の電子機器に適した操作パネルに容易に変更することができる。
【００１１】
ここで、本発明の操作パネルは、前記複数の操作ボタンを組み込むための取付穴を有するベース部材を備え、前記所定の機能操作を行う操作ボタンに対応する取付穴は、当該所定の機能操作を行う操作ボタンを変形させることなく、前記押圧する方向と同じ方向から挿入できる開口形状を有する取付穴であることとするのが好ましい。
【００１２】
こうすれば、追加された機能に対応する操作ボタンを、容易な作業で操作パネルに組み込むことができる。従って、操作パネルが電子機器に取り付けられた状態で、機能追加後の電子機器に適した操作パネルに容易に変更することができる。
【００１３】
また、本発明の操作パネルは、前記所定の機能操作を行う操作ボタンに対応する取付穴の大きさよりも大きな形状を有するカバー部材を備え、前記カバー部材は、前記ベース部材に対して前記押圧する方向と同じ方向から着脱可能に取り付けられるカバー部材であることとしてもよい。
【００１４】
こうすれば、利用者の操作側からカバー部材を操作パネルに取り付けられるので、操作パネルが電子機器に取り付けられた状態でもカバー部材を容易に着脱することができ、追加機能用の操作ボタンのための取付穴を覆うことができる。
【００１５】
さらに、前記カバー部材は、前記所定の機能操作を行う操作ボタンが前記ベース部材に組み込まれたときは、前記所定の機能操作を行う操作ボタンについて押圧する押圧部分を露出する露出穴を備えたカバー部材であり、前記所定の機能操作を行う操作ボタンが前記ベース部材に組み込まれていないときは、前記露出穴を備えないカバー部材であることとすることが好ましい。
【００１６】
こうすれば、操作パネルに開けられた追加機能用の操作ボタンのための取付穴を、機能追加前の操作パネルにおいて覆い隠すことができ、機能追加後の操作パネルにおいては、操作ボタンの押圧部分のみを露出するようにすることができる。従って、追加機能用の操作ボタンのための取付穴が露出することがなく、外観的にも違和感のない操作パネルとすることができる。
【００１７】
また、前記ベース部材もしくは前記カバー部材の少なくとも一方には、前記所定の機能操作を行う操作ボタンを前記ベース部材に組み込んだ後、前記所定の機能操作を行う操作ボタンの回転を防止する回転止め部が形成されていることが好ましい。
【００１８】
こうすれば、ベース部材に組み込まれた所定の機能操作のための操作ボタンが、組み込み後に回転することを防止することができる。従って、操作ボタンがベース部材から抜け落ちることが無い。また、例えば、操作ボタンの押圧部分に文字等が印刷されている場合、印刷された文字の方向が回転によって変わることが無く、利用者に違和感のない操作パネルとすることができる。
【００１９】
また、前記複数の操作ボタンのうち所定の機能操作を行う操作ボタン以外の操作ボタンは、前記押圧する方向と同じ方向から前記操作パネルに組み込みが不可能な操作ボタンであることとしてもよい。
【００２０】
こうすれば、追加機能用の操作ボタン以外の操作ボタンは、操作パネルの組み立て時に組み込むことになるため、操作ボタンの押圧部分のみが露出する露出穴をベース部材に設けておけば良い。従って、追加機能用の操作ボタンのように、操作側から組み込める開口部を有する取付穴をベース部材に設ける必要がないことから、前述したような開口部を覆うためのカバー部材は、追加機能用の操作ボタンについてのみ用いればよく、カバー部材を容易に着脱することができる。この結果、機能追加後の操作パネルに容易に変更することができる。
【００２１】
また、本発明の電子機器は、上述したいずれかの操作パネルを備えたものである。上述した操作パネルでは、追加された機能に対応する操作ボタンを、機能追加後に簡単に組み込むことができるように構成されている。従って、この操作パネルを備えた電子機器は、機能ユニットが追加されても、電子機器から操作パネルを外すことなく、追加機能用の操作ボタンを有した操作パネルを備えた電子機器に変更できる。なお、電子機器とは、プリンタ、ファクシミリ機、コピー機、スキャナ、およびこれらのうち２つ以上の機能を搭載した複合機などが挙げられる。もとより、これらに特に限定されるものではない。
【発明を実施するための最良の形態】
【００２２】
以下、本発明を具体化した実施形態について、実施例を用いて説明する。
【００２３】
まず、本発明の概要を、図１を用いて説明する。図１は、機能追加が行われる電子機器の一例を示したもので、図１（ａ）は、追加される機能ユニットのためのユニット取付部２を備えた電子機器１を示している。電子機器１には、本発明の一実施例としての操作パネル１０が取り付けられ、操作パネル１０ａには操作ボタン２０を含め、種々の操作ボタンが組み込まれている。
【００２４】
そして、図１（ｂ）に、ユニット取付部２に所定の機能を有する機能ユニット３を取り付けた状態の電子機器１を示す。図１（ｂ）では、電子機器１に取り付けられた操作パネル１０ｂには、機能ユニット３に対応した機能操作のための操作ボタン３０が、操作ボタン２０の隣に組み込まれている。
【００２５】
本発明は、図１に示したように、機能追加が行われた場合、操作パネル１０ａを電子機器１から取り外すことなく、追加機能を操作するための操作ボタン３０を組み込み、機能追加前の操作パネル１０ａから、機能追加後の操作パネル１０ｂに容易に変更することができる操作パネル構造を提供するものである。
【００２６】
本発明の一実施例としての操作パネルについて、最初に、機能追加後の操作パネル１０ｂについて図２を用いて説明し、操作パネル１０ａから操作パネル１０ｂへの変更の様子を、後ほど図５を用いて説明する。
【００２７】
図２（ａ）は、電子機器１に取り付けられた操作パネル１０ｂを操作側から見た正面図である。操作パネル１０ｂには、操作ボタン２０と、これ以外に種々の形状をした複数の操作ボタンが電子機器１の機能操作のために組み込まれ、さらに、電子機器１に追加された機能操作のための操作ボタン３０が組み込まれている。
【００２８】
まず、操作ボタン３０以外の操作ボタンについて、その組み込み構造を説明する。図２（ｂ）は、機能追加前の操作パネルに組み込まれている操作ボタンの一つである操作ボタン２０の形状を示す外観斜視図である。操作ボタン２０は、図２（ｂ）に示したように、操作パネルからその天面部が露出し、利用者によって押圧される押圧部分となる露出部２０ｈと、ほぼ全周にわたって鍔状に形成されたフランジ部２０ａによって構成されている。本実施例では、操作ボタン３０以外は全て、操作ボタン２０のように露出部とフランジ部によって構成されている。
【００２９】
図２（ｃ）は、操作ボタン２０が操作パネルに組み込まれた状態を示す構造図であり、図２（ａ）におけるＡ−Ａ断面図である。操作パネル１０ｂは、概略ベース部材１１と回路基板１５によって構成されている。回路基板１５には、操作ボタン２０が押圧Ｐ（図中矢印）によって図面下方向となる押圧方向に押されたときに、操作ボタン２０によって押されて所定の回路の導通処理を行うスイッチ１６が半田付け等によって取り付けられている。また回路基板１５は、ベース部材１１に設けられたボス部１１ｂにネジ１７によって固定されている。
【００３０】
操作ボタン２０はそのフランジ部２０ａがベース部材１１と平面的に重なるようになっており、押圧方向に対して逆方向に抜けないようになっている。また操作ボタン２０の露出部２０ｈは、ベース部材１１に設けられた露出穴から、その天面部が操作側へ露出している。従って、図２（ｃ）から明らかなように、操作ボタン２０を操作パネル１０ｂに組み込む場合は、操作パネルの内側、つまり、利用者による操作パネルの操作側と反対側から組み込む構造になっている。
【００３１】
追加機能操作のための操作ボタン３０以外は、上述した操作ボタン２０と同様な組み込み構造になっている。つまり、ほぼ全周にフランジ部を設けることによって、操作側と反対側から組み込む構造となっている。
【００３２】
もとより、追加機能操作のための操作ボタン以外は、機能が追加されても取り外しや変更を行わないので、利用者の操作側から組み込む構造にしておく必要はない。従って、操作側へ操作ボタンが抜け落ちないように、ほぼ全周にフランジ部を設けておくことが好ましい。
【００３３】
また、このように操作ボタンにフランジ部を設けることで、回路基板１５に取り付けられたスイッチ１６や他の電子部品（図示せず）、あるいは回路基板の配線部（図示せず）と、操作ボタンの露出部との距離（いわゆる沿面距離）を長くすることができる。従って、静電気による電子部品などの破壊を抑制する効果があるため、一般的に、種々の電子機器においてこのような操作ボタンの組み込み構造が多く採用されており、本実施例でも追加された機能操作のための操作ボタン３０以外の操作ボタンは、図２（ｃ）に示した構造であるものとした。
【００３４】
それでは、追加された機能操作のための操作ボタン３０について、その組み込み構造を説明する。図３は、操作ボタン３０が操作パネルに組み込まれた状態を示す構造図であり、図２（ａ）におけるＢ−Ｂ断面図である。図２（ｃ）に示したＡ−Ａ断面に対して、ベース部材１１の外側を覆うようにカバー部材１２が追加されている。
【００３５】
カバー部材１２には、ベース部材１１の両側面に設けられた溝部１１ｃに嵌合して掛止するための掛止部１２ｃが設けられ、カバー部材１２を操作側から押し込むことによって掛止部１２ｃと溝部１１ｃとが嵌合し、カバー部材１２をベース部材１１に取り付けることができる。逆に、掛止部１２ｃと溝部１１ｃとの嵌合をはずすことによって、容易にカバー部材１２をベース部材１１から取り外すことができる。つまり、ベース部材１１に対して、容易にカバー部材１２の着脱が可能な構造になっている。
【００３６】
また、カバー部材１２には、操作ボタン３０の押圧部分を露出させるための露出穴１２ｄが設けられ、カバー部材１２をベース部材１１に取り付けた状態で、操作ボタン３０の天面部を利用者が押すことが出来るようになっている。
【００３７】
なお、本実施例では、図３に示したように、カバー部材１２をベース部材１１の側面に設けた溝部に嵌合して取り付ける構造としたが、もとより側面とせず、操作側からみてベース部材１１の正面における平面内に開口穴を設け、カバー部材１２に設けた掛止部と嵌合して取り付ける構造としてもよい。
【００３８】
また、カバー部材１２によって覆われる部分のベース部材１１の厚さは薄く形成され、カバー部材１２が取り付けられている部分とカバー部材１２が取り付けられていない部分のベース部材の厚さが、ほぼ同じになるよう形成されている。従って、操作パネル１０ｂを正面から見たときのベース部材１１とカバー部材１２との隣接部４０（図２（ａ））には、平面的な段差は殆ど生じないことから、利用者にとって違和感のない操作パネルとすることができる。もとより、段差を有する構造としても差し支えない。
【００３９】
操作ボタン３０には、フランジ部３０ａが２箇所形成されている。そして、このフランジ部３０ａはベース部材１１に設けられた突起部１１ａと、カバー部材１２に設けられた突起部１２ａとによって、押圧方向に対して垂直となる平面内での回転が防止されている。この様子を、図４を用いて補足説明する。
【００４０】
図４（ａ）は、操作ボタン３０の斜視外観図であり、操作パネルからその天面部が露出し利用者によって押圧される押圧部分を有する露出部３０ｈと、図面上手前側と奥側の２箇所にそれぞれ図に示すような部分的に形成されたフランジ部３０ａから構成されている。この操作ボタン３０を操作側から見た正面図を図４（ｂ）に示す。ベース部材１１には操作ボタン３０の外形形状にあわせて、この外形形状よりも大きな開口部を有する取付穴１４が設けられている。従って、操作ボタン３０は、この取付穴１４によって操作側から操作ボタンを変形させることなく容易にベース部材１１に挿入することができる。
【００４１】
その後、挿入した操作ボタン３０を、図面上右回転させ、二点鎖線で示した位置まで回転する。こうすることで、操作ボタン３０のフランジ部３０ａは、ベース部材１１の下側に位置し、ベース部材１１と平面的に重なるようになるため、押圧方向に対して逆方向に抜けないようになりベース部材１１から抜け落ちることがない状態となる。
【００４２】
また、この状態で、カバー部材１２を図面上正面方向からベース部材１１に押し込んだとき、カバー部材１２に設けられた突起部１２ａが、フランジ部３０ａの左回転を防止する。一方、ベース部材に設けられた突起部１１ａが、フランジ部３０ａの右回転を防止するので、操作ボタン３０はどちらへも回転しない状態となる。従って、例えば操作ボタン３０の露出部３０ｈの天面部にひらがな文字などの方向性を持った文字や図形が記されている場合、露出部３０ｈは回転防止されることから、天面部に記された文字や図形の方向が変化することもない。
【００４３】
もとより、図面上右回転とせず、左回転によって組み込むこととしても良い。操作ボタン３０の露出部３０ｈの天面部にひらがな文字などの方向性を持った文字や図形が記されていない場合は左右どちらに回転してもよく、従って、左右どちらに回転しても組み込めるようにしておけば、組み込む自由度が高くなる。さらに、操作ボタンの少なくとも一部を導光可能な部材で構成し、操作ボタンの組み込み後、フランジ部３０ａと平面的に重なる回路基板位置に、ＬＥＤなどの発光素子を配しておけば、組み込み時における操作ボタンの回転方向によって、操作ボタンを照明するか否かを選択することも可能となる。
【００４４】
なお、操作ボタン３０のフランジ部３０ａは一部のみ形成されているので、前述した沿面距離は、フランジ部が形成されていない部分では短くなってしまうが、この部分に対応する位置には回路基板の配線を設けないなどによって、静電気による電子部品などの破壊を抑制するようにしておけばよい。
【００４５】
以上、図３および図４によって説明した組み込み構造によって、追加機能のための操作ボタン３０は、操作側から容易に操作パネル１０ｂに組み込むことができるようになっている。従って、図１に示したように、電子機器１に機能追加された場合、追加された機能操作のための操作ボタン３０を操作パネル１０ａに操作側から組み込むことによって、機能追加後の電子機器１を操作するための操作パネル１０ｂに変更することが可能となる。
【００４６】
次に、この操作パネル１０ａから操作パネル１０ｂの変更の様子について図５を用いて説明する。図５（ａ）は、機能追加前の電子機器１に取り付けられている操作パネル１０ａを示している。操作パネル１０ａでは、カバー部材１２に対して操作ボタンの露出用の露出穴が設けられていないカバー部材１２Ａがベース部材１１に装着され、図５（ｂ）に示した操作ボタン３０の挿入用の開口部を有する取付穴１４を覆い隠している。
【００４７】
次に、電子機器１に機能ユニット３が装着されて機能追加が行われた場合、図５（ｂ）に示したように、このカバー部材１２Ａを取り外す。カバー部材１２Ａは前述したように操作側から容易に取り外すことができるため、操作パネルが電子機器に取り付けられた状態でも取り外すことが可能である。
【００４８】
次に、図５（ｃ）に示したように、取付穴１４に操作ボタン３０を挿入した後回転し、フランジ部３０ａが図の破線で示した位置になるように操作ボタン３０を操作パネル１０ａに組み込む。そして、カバー部材１２Ａに替えて、操作ボタン３０の露出部３０ｈを露出させるための露出穴１２ｄが設けられたカバー部材１２を、ベース部材１１に押し込むことによって、操作ボタン３０を操作パネル１０ａに組み込む。こうして操作パネル１０ａは、図５（ｄ）に示したように操作パネル１０ｂに変更されるのである。
【００４９】
上述したように、本実施例によれば、機能が追加されたような場合でも、機能追加前の電子機器に適した操作パネルから機能追加後の電子機器に適した操作パネルに容易に変更することができる。また、追加機能用の操作ボタンのための取付穴が露出することがなく、外観的にも違和感のない操作パネルとすることができる。
【００５０】
以上、本発明を具体化した実施例について説明したが、本発明はこうした実施例に何ら限定されるものではなく、本発明の趣旨を逸脱しない範囲内において様々な形態で実施し得ることは勿論である。
【００５１】
例えば、上記実施例では、追加機能操作のための操作ボタンを操作ボタン３０として説明したが、例えば操作ボタン２０も追加機能操作のための操作ボタンであるなど、複数の操作ボタンが追加機能操作のための操作ボタンである場合がある。このような場合は、カバー部材１２およびカバー部材１２Ａの形状を、ベース部材１１に設けられる各操作ボタンのための取付穴を全て覆い隠すように大きくすればよい。
【００５２】
また、例えば、上記実施例では、追加された機能操作のための操作ボタン３０を、操作ボタン３０の外形より大きな開口部を有する取付穴に挿入することとしたが、変形例として、操作ボタンの外形形状よりも小さい開口部を有する取付穴に挿入することとしてもよい。
【００５３】
図６に本変形例による操作ボタンとその組み込み方法の一例を示す。図６（ａ）は追加された機能操作のための操作ボタン３１を示し、露出部３１ｈとフランジ部３１ａから構成されている。フランジ部３１ａはゴムなどの弾性部材で形成され、例えば２色成形による射出成形などの方法を用いて形成されている。
【００５４】
図６（ｂ）は、この操作ボタン３１を操作パネルのベース部材１１に設けられた取付穴１１ｋに操作側から挿入した状態を示している。フランジ部３１ａは、図６（ｂ）に示したように取付穴１１ｋの大きさまで圧縮変形することで、取付穴１１ｋに挿入することが可能となる。
【００５５】
そして、図６（ｃ）に示したように、取付穴１１ｋを通過後、フランジ部３１ａは圧縮が解除され、再びもとの大きさに戻ることによって、操作ボタン３１は、操作パネルから脱落することなく、回路基板１５に取り付けられたスイッチ１６を押すことができるように操作パネルに組み込まれる。その後、カバー部材１２がベース部材に取り付けられ、操作ボタン３１の組み込みは終了する。
【００５６】
このように、追加された機能操作のための操作ボタンを、図６に示した操作ボタンとすることによって、ベース部材１１に操作ボタンの外形形状よりも小さい開口部を有する取付穴であっても、操作側から操作ボタンを組み込むことができる。
【００５７】
また、操作側から組み込むことができる操作ボタンの他の変形例として、図７にその一例を示す。図７は、追加された機能操作のための操作ボタン３２を示し、露出部３２ｈと、露出部３２ｈの左右両側にそれぞれ形成されたフランジ部３２ａとから構成されている。露出部３２ｈは図７のように、フランジ部３２ａがそれぞれ矢印Ｑの方向へ変形可能なように、一部が薄肉化されている。
【００５８】
そして、この操作ボタン３２を操作パネルのベース部材１１に設けられた取付穴１４ａに、矢印Ｓで示したように操作側から挿入する。このとき、フランジ部３２ａが取付穴１４ａを通過できるまで、露出部３２ｈは矢印Ｑ方向に圧縮変形することで、取付穴１４ａに操作ボタン３２を挿入することが可能となる。
【００５９】
そして、取付穴１４ａを通過後、フランジ部３２ａは圧縮が解除され、再びもとの位置に戻ることによって、操作ボタン３２は、操作パネルから脱落しないように操作パネルに組み込まれることになる。
【００６０】
なお、図６や図７に示したような操作ボタンの組み込み構造において、取付穴を、組み込まれる操作ボタンの露出部とほぼ同じ大きさにすることができる場合は、取付穴を覆うためのカバー部材を設ける必要がなく、操作パネルの構造を簡略化することも可能となる。
【図面の簡単な説明】
【００６１】
【図１】本発明の実施例で、操作パネルが取り付けられた電子機器の説明図。
【図２】（ａ）は、操作パネルの正面図。（ｂ）は、追加機能操作以外のための操作ボタンの一例を示す外観図。（ｃ）は、追加機能操作以外のための操作ボタンの組み込み構造図。
【図３】追加機能操作のための操作ボタンの組み込み構造図。
【図４】（ａ）は、追加機能操作のための操作ボタンの外観図。（ｂ）は、追加機能操作のための操作ボタンの組み込み説明図。
【図５】（ａ）は、機能追加前の操作パネル正面図。（ｂ）は、カバー部材を取り外した機能追加前の操作パネル正面図。（ｃ）は、追加機能操作のための操作ボタンを組み込んだ状態の操作パネル正面図。（ｄ）は、機能追加後の操作パネル正面図。
【図６】（ａ）は、変形例における追加機能操作のための操作ボタンの外観図。（ｂ）（ｃ）は、変形例での追加機能操作のための操作ボタンの組み込み説明図。
【図７】別の変形例としての操作ボタンの組み込み方の説明図。
【符号の説明】
【００６２】
１…電子機器、２…ユニット取付部、３…機能ユニット、１０ａ…操作パネル、１０ｂ…操作パネル、１１…ベース部材、１１ａ…突起部、１１ｂ…ボス部、１１ｃ…溝部、１１ｋ…取付穴、１２…カバー部材、１２Ａ…カバー部材、１２ａ…突起部、１２ｃ…掛止部、１２ｄ…露出穴、１４…取付穴、１４ａ…取付穴、１５…回路基板、１６…スイッチ、１７…ネジ、２０…操作ボタン、２０ａ…フランジ部、２０ｈ…露出部、３０…操作ボタン、３０ａ…フランジ部、３０ｈ…露出部、３１…操作ボタン、３１ａ…フランジ部、３１ｈ…露出部、３２…操作ボタン、３２ａ…フランジ部、３２ｈ…露出部、４０…隣接部。
【図１】
2007221302.tif 000003
【図２】
2007221302.tif 000004
【図３】
2007221302.tif 000005
【図４】
2007221302.tif 000006
【図５】
2007221302.tif 000007
【図６】
2007221302.tif 000008
【図７】
2007221302.tif 000009